【手続補正書】
【提出日】平成17年9月27日(2005.9.27)
【手続補正１】
【補正対象書類名】明細書
【補正対象項目名】発明の名称
【補正方法】変更
【補正の内容】
【発明の名称】情報入力方法及び装置、情報サーバ、情報入力装置における情報入力方法、並びに移動端末の入力操作を支援する方法
【手続補正２】
【補正対象書類名】明細書
【補正対象項目名】特許請求の範囲
【補正方法】変更
【補正の内容】
【特許請求の範囲】
【請求項１】  複数のユーザ端末に係わる位置関連情報を蓄積可能なデータベースと、情報サーバを有する情報入力システムにより情報を入力する情報入力方法において、
前記情報サーバが移動端末の位置に対応する位置関連情報を前記データベースから取得する位置関連情報取得ステップと、
前記情報サーバが前記データベースから取得した前記位置関連情報の中から前記位置関連情報の参照履歴を用いて入力候補情報を選出する入力候補情報選出ステップと、
前記情報サーバが選出した前記入力候補情報を前記移動端末に送信する入力候補情報送信ステップと、
前記移動端末により少なくとも前記入力候補情報から任意の入力候補情報が選択されることによって情報の入力を行う情報入力ステップと、
を備えたことを特徴とする情報入力方法。
【請求項２】 前記移動端末に入力される情報とは、文字、画像、若しくは音のうちの少なくとも一つを含むことを特徴とする請求項１に記載の情報入力方法。
【請求項３】 前記移動端末は、
前記情報サーバから受信した入力候補情報の中から前記移動端末の使用者によって任意の入力候補情報を選択する第１モードと、
前記移動端末自体が持つ入力履歴情報に基づく入力候補情報の中から前記移動端末の使用者によって任意の入力候補情報を選択する第２モードと、
前記移動端末の使用者によって前記移動端末に直接入力が行われる第３モードと、のいずれかにより情報を入力できることを特徴とする請求項１または２に記載の情報入力方法。
【請求項４】 前記移動端末において入力された情報を、前記移動端末から前記情報サーバに送信する入力情報送信ステップと、
前記入力情報送信ステップにおいて送信された情報に基づいて、前記データベースの位置関連情報を更新する更新ステップを有することを特徴とする請求項１乃至３のいずれかに記載の情報入力方法。
【請求項５】 前記更新ステップを実行するか否かを選択する選択ステップを有することを特徴とする請求項４に記載の情報入力方法。
【請求項６】 前記情報サーバが前記移動端末に対して送信する入力候補情報は、前記移動端末の現在位置情報に対応した前記データベースの各位置関連情報の中から各位置関連情報の少なくとも参照回数または参照時間の参照履歴情報を基づいて選出された入力候補情報であることを特徴とする請求項１乃至５のいずれかに記載の情報入力方法。
【請求項７】 前記移動端末は、前記情報サーバから受信した入力候補情報と、前記移動端末自体が内蔵する入力履歴情報に基づく入力候補情報とに基づいて、入力候補情報をユーザに提示することを特徴とする請求項１乃至６のいずれかに記載の情報入力方法。
【請求項８】 情報入力装置において、
前記情報入力装置の位置に基づく入力候補情報を使用者に提示する提示手段と、
前記提示手段により提示した入力候補情報から任意の入力情報を選択するための選択手段と、
を有することを特徴とする情報入力装置。
【請求項９】 前記情報入力装置の位置情報を、情報サーバに送信する送信手段と、
前記送信手段により送信した位置情報に基づいた入力候補情報を、前記情報サーバから受信する受信手段と、を有し、
前記提示手段は、前記受信手段により受信した入力候補情報に基づいて、入力候補情報を提示することを特徴とする請求項８に記載の情報入力装置。
【請求項１０】 前記情報入力装置において入力された情報の履歴を管理する管理手段と、を有し、
前記提示手段は、前記受信手段により受信した入力候補情報と、前記管理手段により管理されている履歴に基づいて、入力候補情報を提示することを特徴とする請求項９に記載の情報入力装置。
【請求項１１】 情報サーバにおいて、
移動端末の位置情報を取得する位置取得手段と、
前記取得手段により取得した位置情報に基づいて、前記移動端末において入力する入力情報の候補を選出する選出手段と、
前記選出手段により選出した候補情報を前記移動端末に通知する通知手段と、
を有することを特徴とする情報サーバ。
【請求項１２】 前記取得手段により取得した位置情報に対応する位置関連情報をデータベースから取得する関連情報取得手段と、を有し、
前記選出手段は、前記関連情報取得手段により取得した位置関連情報に基づいて、前記候補を選出することを特徴とする請求項１１に記載の情報サーバ。
【請求項１３】 前記移動端末において入力された情報を取得する入力情報取得手段と、
前記入力情報取得手段により取得した情報に基づいて、前記データベースを更新する更新手段と、を有することを特徴とする請求項１２記載の情報サーバ。
【請求項１４】 情報入力装置における情報入力方法において、
前記情報入力装置の位置に基づく入力候補情報を使用者に提示する提示ステップと、
前記提示ステップにおいて提示した入力候補情報から任意の入力情報を選択するための選択ステップと、
を有することを特徴とする情報入力方法。
【請求項１５】 移動端末の入力操作を支援する方法において、
前記移動端末の位置情報を取得する位置取得ステップと、
前記取得ステップにおいて取得した位置情報に基づいて、前記移動端末において入力する入力情報の候補を選出する選出ステップと、
前記選出ステップにおいて選出した候補情報を前記移動端末に通知する通知ステップと、
を有することを特徴とする移動端末の入力操作を支援する方法。
【手続補正３】
【補正対象書類名】明細書
【補正対象項目名】０００１
【補正方法】変更
【補正の内容】
【０００１】
【発明の属する技術分野】
本発明は、小型で持ち運び可能なユーザ端末において情報を入力する際に、このユーザ端末が所在するエリア情報を用いた情報入力方法及び装置、情報サーバ、情報入力装置における情報入力方法、並びに移動端末の入力操作を支援する方法に関する。
【手続補正４】
【補正対象書類名】明細書
【補正対象項目名】００１０
【補正方法】変更
【補正の内容】
【００１０】
本発明は、上述した従来技術の有する問題点を解消するためになされたもので、その目的は、位置に関連する情報において、一度も入力したことのない単語であっても、入力候補情報の中から選択するだけで、情報入力が効率的に行える情報入力方法及び装置、情報サーバ、情報入力装置における情報入力方法、並びに移動端末の入力操作を支援する方法を提供することである。
【手続補正５】
【補正対象書類名】明細書
【補正対象項目名】００１１
【補正方法】変更
【補正の内容】
【００１１】
【課題を解決するための手段】
上記目的を達成するために、請求項１に記載の情報入力方法は、複数のユーザ端末に係わる位置関連情報を蓄積可能なデータベースと、情報サーバを有する情報入力システムにより情報を入力する情報入力方法において、前記情報サーバが移動端末の位置に対応する位置関連情報を前記データベースから取得する位置関連情報取得ステップと、前記情報サーバが前記データベースから取得した前記位置関連情報の中から前記位置関連情報の参照履歴を用いて入力候補情報を選出する入力候補情報選出ステップと、前記情報サーバが選出した前記入力候補情報を前記移動端末に送信する入力候補情報送信ステップと、前記移動端末により少なくとも前記入力候補情報から任意の入力候補情報が選択されることによって情報の入力を行う情報入力ステップと、を備えたことを特徴とする。
請求項８に記載の情報入力装置は、前記情報入力装置の位置に基づく入力候補情報を使用者に提示する提示手段と、前記提示手段により提示した入力候補情報から任意の入力情報を選択するための選択手段と、を有することを特徴とする。
請求項１１に記載の情報サーバは、移動端末の位置情報を取得する位置取得手段と、前記取得手段により取得した位置情報に基づいて、前記移動端末において入力する入力情報の候補を選出する選出手段と、前記選出手段により選出した候補情報を前記移動端末に通知する通知手段と、を有することを特徴とする。
請求項１４に記載の情報入力装置における情報入力方法は、前記情報入力装置の位置に基づく入力候補情報を使用者に提示する提示ステップと、前記提示ステップにおいて提示した入力候補情報から任意の入力情報を選択するための選択ステップと、を有することを特徴とする。
請求項１５に記載の移動端末の入力操作を支援する方法は、前記移動端末の位置情報を取得する位置取得ステップと、前記取得ステップにおいて取得した位置情報に基づいて、前記移動端末において入力する入力情報の候補を選出する選出ステップと、前記選出ステップにおいて選出した候補情報を前記移動端末に通知する通知ステップと、を有することを特徴とする。
【手続補正６】
【補正対象書類名】明細書
【補正対象項目名】００９６
【補正方法】削除
【補正の内容】
【手続補正７】
【補正対象書類名】明細書
【補正対象項目名】００９７
【補正方法】削除
【補正の内容】
【手続補正８】
【補正対象書類名】明細書
【補正対象項目名】００９８
【補正方法】削除
【補正の内容】
【手続補正９】
【補正対象書類名】明細書
【補正対象項目名】００９９
【補正方法】削除
【補正の内容】
【手続補正１０】
【補正対象書類名】明細書
【補正対象項目名】０１００
【補正方法】削除
【補正の内容】
【手続補正１１】
【補正対象書類名】明細書
【補正対象項目名】０１０１
【補正方法】削除
【補正の内容】
【手続補正１２】
【補正対象書類名】明細書
【補正対象項目名】０１０２
【補正方法】削除
【補正の内容】
【手続補正１３】
【補正対象書類名】明細書
【補正対象項目名】０１０３
【補正方法】削除
【補正の内容】
【手続補正１４】
【補正対象書類名】明細書
【補正対象項目名】０１０４
【補正方法】削除
【補正の内容】
【手続補正１５】
【補正対象書類名】明細書
【補正対象項目名】０１０５
【補正方法】削除
【補正の内容】
【手続補正１６】
【補正対象書類名】明細書
【補正対象項目名】０１０６
【補正方法】削除
【補正の内容】
【手続補正１７】
【補正対象書類名】明細書
【補正対象項目名】０１０７
【補正方法】削除
【補正の内容】
【手続補正１８】
【補正対象書類名】明細書
【補正対象項目名】０１０８
【補正方法】削除
【補正の内容】
【手続補正１９】
【補正対象書類名】明細書
【補正対象項目名】０１０９
【補正方法】削除
【補正の内容】
【手続補正２０】
【補正対象書類名】明細書
【補正対象項目名】０１１０
【補正方法】削除
【補正の内容】
【手続補正２１】
【補正対象書類名】明細書
【補正対象項目名】０１１１
【補正方法】削除
【補正の内容】
【手続補正２２】
【補正対象書類名】明細書
【補正対象項目名】０１１２
【補正方法】削除
【補正の内容】
【手続補正２３】
【補正対象書類名】明細書
【補正対象項目名】０１１３
【補正方法】削除
【補正の内容】
【手続補正２４】
【補正対象書類名】明細書
【補正対象項目名】０１１４
【補正方法】削除
【補正の内容】
【手続補正２５】
【補正対象書類名】明細書
【補正対象項目名】０１１５
【補正方法】削除
【補正の内容】
【手続補正２６】
【補正対象書類名】明細書
【補正対象項目名】０１１６
【補正方法】削除
【補正の内容】